(57)【要約】【課題】簡便に情報データを取得できるようにする。【解決手段】情報取得部において情報取得者が取得したい映像情報をサーバから取得するに際して、情報取得部にインストールしたウォールトークソフトによって、タブレットモニタを起動させてから終了させるまでの間自動的に映像データを取得できるようにしたことにより、情報取得者は何ら余分な操作することなく映像情報を簡潔に取得できる。【選択図】図２
2018169845.tif 000002
【特許請求の範囲】
【請求項１】
タブレットモニタでなる情報取得装置を介して情報取得者が取得したい映像情報をサーバから取得する情報取得システムであって、
上記サーバには、管理者によって、上記映像情報を表す映像データをＩＤ番号及びパスワードを付してＵＲＬアドレスに登録されており、
上記タブレットモニタには上記サーバに記憶されている各映像データをそれぞれＵＲＬアドレスをアクセスすることにより取得して表示手段に表示させるウォールトークソフトを予めインストールされており、
上記ウォールトークソフトは、上記管理者によって、上記サーバに登録した上記ＩＤ番号、パスワード及びＵＲＬアドレスを上記タブレットモニタに入力させると共に、上記タブレットモニタがオン動作したとき入力された当該ＩＤ番号、パスワード及びＵＲＬアドレスを用いて予め設定された時間に上記サーバにアクセスさせ、
上記ウォールトークソフトは、上記タブレットモニタが上記サーバにアクセスした際に用いた上記ＩＤ番号、パスワード及びＵＲＬアドレスが上記サーバに登録された上記ＩＤ番号、パスワード及びＵＲＬアドレスと一致したとき、上記サーバを上記映像データの取得許可動作させることにより当該映像データを上記タブレットモニタによって予め設定された時間にダウンロード動作させ、
上記ウォールトークソフトは、当該ダウンロードされた上記映像データを、上記管理者によって上記タブレットモニタに設定された動作開始時間から動作終了時間までの間繰返し上記タブレットモニタに表示し続けさせ、
上記ウォールトークソフトは、その後上記タブレットモニタがオフ動作するまでの間に予め設定された時間にアクセスを繰り返したとき、その都度上記サーバを上記映像データの取得許可動作をさせることによりこのとき上記サーバに格納されている上記映像データを上記タブレットモニタがダウンロードする
ことを特徴とする情報取得システム。
【請求項２】
上記タブレットモニタにダウンロードされる映像データは、上記管理者が上記サーバに格納された上記映像データを置き換えたとき当該置き換えた内容を表示変更する
ことを特徴とする請求項１に記載の情報取得システム。
【請求項３】
上記タブレットモニタは、市販のタブレットが持っている既存のアプリケーションソフトのうちネット接続機能及びダウンロードされた上記商品紹介画像データの表示機能を残して使用不能にセッティングすると共に、上記ウォールトークソフトをインストールしてなる  
請求項１に記載の情報取得システム。
【請求項４】
上記サーバには管理者が制作した商品紹介画像データが格納されており、上記タブレットモニタが上記商品紹介画像データが格納されているサーバにアクセスしたとき、上記タブレットモニタは上記商品紹介画像データを上記サーバからダウンロードし、上記動作終了時間まで表示できるようにした
ことを特徴とする請求項１に記載の情報取得システム。
【発明の詳細な説明】
【技術分野】
【０００１】
本発明は情報取得システムに関し、特に情報取得者ができるだけ簡便に欲しい情報を取得できるようにしたものである。
【背景技術】
【０００２】
従来、情報取得者が欲しい情報を得るための情報取得システムとして、特許文献１に記載されているように、インターネットに接続されている情報取得者が、当該情報を記憶しているサーバのコントロールのもとに、取得したい情報にアクセスして配信を受ける構成のものが多用されている。
【先行技術文献】
【特許文献】
【０００３】
【特許文献１】特開２００７−２７９５１６号公報
【発明の概要】
【発明が解決しようとする課題】
【０００４】
しかしながらかかる構成の情報取得システムは、情報取得者がサーバに記憶されている情報から欲しい情報を取得するまでに、サーバとの間に面倒かつ複雑な手続きを行う必要があるため、情報取得システム全体としての構成を簡便に利用することができないばかりか、情報取得者がインターネットから欲しい情報を取得するまでに利用する手間も簡略化できない問題がある。
【０００５】
本発明は以上の点を考慮してなされたもので、できるだけ簡略な構成によって情報取得者が容易に欲しい情報を取得することができるようにした情報取得システムを提案しようとするものである。
【課題を解決するための手段】
【０００６】
かかる課題を解決するため本発明においては、タブレットモニタでなる情報取得装置を介して情報取得者が取得したい映像情報をサーバから取得する情報取得システムであって、サーバには、管理者によって、映像情報を表す映像データをＩＤ番号及びパスワードを付してＵＲＬアドレスに登録されており、タブレットモニタにはサーバに記憶されている各映像データをそれぞれＵＲＬアドレスをアクセスすることにより取得して表示手段に表示させるウォールトークソフトを予めインストールされており、ウォールトークソフトは、管理者によって、サーバに登録したＩＤ番号、パスワード及びＵＲＬアドレスをタブレットモニタに入力させると共に、タブレットモニタがオン動作したとき入力された当該ＩＤ番号、パスワード及びＵＲＬアドレスを用いて予め設定された時間にサーバにアクセスさせ、ウォールトークソフトは、タブレットモニタがサーバにアクセスした際に用いたＩＤ番号、パスワード及びＵＲＬアドレスがサーバに登録されたＩＤ番号、パスワード及びＵＲＬアドレスと一致したとき、サーバを映像データの取得許可動作させることにより当該映像データをタブレットモニタによって予め設定された時間にダウンロード動作させ、ウォールトークソフトは、当該ダウンロードされた映像データを、管理者によってタブレットモニタに設定された動作開始時間から動作終了時間までの間繰返しタブレットモニタに表示し続けさせ、ウォールトークソフトは、その後タブレットモニタがオフ動作するまでの間に予め設定された時間にアクセスを繰り返したとき、その都度サーバを映像データの取得許可動作をさせることによりこのときサーバに格納されている映像データをタブレットモニタがダウンロードするようにする。
【発明の効果】
【０００７】
本発明によれば、情報取得部において情報取得者が取得したい映像情報をサーバから取得するに際して、情報取得部にインストールしたウォールトークソフトによって、タブレットモニタを起動させてから終了させることにより、情報取得者は何ら操作することなく映像情報を簡潔に取得できる。
【図面の簡単な説明】
【０００８】
【図１】本発明による情報取得システムの一実施の形態を示すシステム系統図である。
【図２】第２の実施の形態を示すシステム系統図である。
【図３】大型モニタの構成を示す略線図である。
【図４】動作の説明に供する略線図である。
【発明を実施するための形態】
【０００９】
以下図面について、本発明の一実施の形態を詳述する。
【００１０】
（１）第１の実施の形態
図１において、１は全体として情報取得システムを示し、情報取得者は情報取得装置２から通信系３のアクセスライン４を介してアクセスデータＤＴ２をサーバ入力部５に接続され、サーバ６の出力端に接続された通信系３のデータ取得ライン７を介してサーバ６から取得した情報に対応するアクセスデータＤＴ２を情報取得装置２に取得するようになされている。
【００１１】
この実施の形態の場合、サーバ６は第１のドメイン群ＤＭ１としてドメインｈｔｔｐ：／ｗｗｗ．でなるドメインＡに商品紹介画像Ａの情報データがコンテンツとして格納され、以下同じようにドメインＢ、Ｃ、Ｄ、Ｅ及びＦに商品紹介動画Ｂ、商品紹介テキストＣ、地図Ａ、フロアガイドＡ及び災害情報Ａの情報データがコンテンツとして記憶されている。
【００１２】
これに加えて第２のドメイン群ＤＭ２のドメインＧ、Ｈ、Ｉ、Ｊ、Ｋ及びＬには商品紹介画像Ｂ、商品紹介動画Ｃ、商品紹介テキストＹ、地図Ｂ、フロアガイドＢ及び災害情報Ｃの情報データがコンテンツとして格納されている。
【００１３】
ここで、サーバ６に記憶されているコンテンツは、静止画、動画又は文字画として映像情報を表しており、その映像データが各ドメインに記憶されている。
【００１４】
この実施の形態の場合、情報取得装置２を構成する複数の情報取得部２Ａ、２Ｂ……はそれぞれタブレットモニタ１１を制御部１２によって制御しながらタブレットモニタ１１の表示部１１Ａにサーバ６から取得したデータを表示できるようになされている。
【００１５】
ここで制御部１２は表示画像を他者に邪魔されることなく、しかも表示内容を当該他者から変更されることなく、ひとりで語り続ける媒体（本明細書においては、これをウォールトークと称する）を構成するように、ウォールトークソフトデータＤＴ１をインストールされている。
【００１６】
このウォールトークソフトは、タブレットモニタ１１として、様々なアイコン、アプリケーション機能を標準装備された市販のタブレットについて、当該標準装備を停止して新たに専用のソフトアプリケーションをインストールしたものを用いることにより、サーバ６から取得した情報を表示部１１Ａに表示できるようになされている。
【００１７】
この実施の形態の場合、ウォールトークソフトは取得するデータの「起動時間」、「終了時間」及び「アクセス時間」をウォールトークソフトデータＤＴ１としてインストールすると共に、サーバ６から取得しようとする情報についてサーバ６における「パスワード」、「ＩＤ」及び記憶している場所を表す「契約ドメイン」を指定する認証データＤ２をインストールする。
【００１８】
この認証データＤ２は当該情報取得システム１の管理者２１が情報取得部２Ａ、２Ｂ……の認証部１２Ａに入力すると共に、同じ「パスワード」、「ＩＤ」及び「契約ドメイン」を認証データＤ２としてサーバ入力部５の認証部５Ａに入力させる。
【００１９】
かくして情報取得部２Ａ、２Ｂ……の認証部１２Ａに入力された認証データとサーバ入力部５の認証部５Ａに入力された認証データとが同一であることにより、情報取得者が情報取得部２Ａ、２Ｂ……を用いてサーバ６をアクセスしたとき、当該認証データが一致したドメインに記憶されている情報を情報取得部２Ａ、２Ｂ……をダウンロードするようになされている。
【００２０】
サーバに記憶すべき各ドメイン群ＤＭ１、ＤＭ２の情報は、管理者２１と情報取得装置２の保持者との間の契約により、管理者２１は契約した条項に従って設定する。
【００２１】
この取得すべき情報データは、契約が成立したドメインに、管理者２１が映像制作会社で制作したコンテンツをアップデートさせながらサーバ６に設置する。
【００２２】
この実施の形態の場合、通信系３はｗｉ−ｆｉ方式の通信系と、電話回線による通信系とを管理者２１が必要に応じて切り替えるか、又はｗｉ−ｆｉ回線及び電話回線のいずれか一方を選択できるようになされている。
【００２３】
以上の構成において、ウォールトークソフトデータＤＴ１をインストールした情報取得部２Ａ、２Ｂ……の製作者は、その情報取得部保持者との間で保持契約をすることにより情報取得部２Ａ、２Ｂ……の設置場所や、使用形態を情報取得部保持者に委ねる。
【００２４】
また当該製作者は、ウォールトークソフトに基づく認証データＤ２及び制御データＤ１によるサーバ６に対する制御や、サーバ６への情報データＡ〜Ｌや、後述するアップデートデータＹの対応するドメインへの記憶のようなサーバ６の活用の仕方については、当該情報取得システム１の管理を行うシステム管理者２１との間の契約に従ってシステム管理者に委ねる。
【００２５】
情報取得装置２の情報取得保持者は、情報取得部２Ａ、２Ｂ……をあらかじめインストールされたウォールトークソフトに基づいてサーバ６に対して制御データＤ１及び認証データＤ２を用いてアクセスする。
【００２６】
情報取得部２Ａ、２Ｂ……は起動時間及び終了時間と、サーバ６に対するアクセス時間とでなる制御データＤ１をパスワード、ＩＤ及び契約ドメインを指定する認証データＤ２と共に、アクセスデータＤＴ２として通信系３を介してサーバ入力部５に与える。
【００２７】
ここで、ウォールトークソフトは、管理者２１によって、サーバ６に登録したＩＤ番号、パスワード及びＵＲＬアドレスをタブレットモニタ１１に入力させると共に、タブレットモニタ１１がオン動作したとき入力された当該ＩＤ番号、パスワード及びＵＲＬアドレスを用いてサーバ６に予め設定された時間にアクセスさせる。
【００２８】
またウォールトークソフトは、タブレットモニタ１１がサーバ６にアクセスした際に用いたＩＤ番号、パスワード及びＵＲＬアドレスがサーバ６に登録されたＩＤ番号、パスワード及びＵＲＬアドレスと一致したとき、サーバ６を映像データの取得許可動作させることにより当該映像データをタブレットモニタ１１によって予め設定された時間にダウンロード動作させる。
【００２９】
さらにウォールトークソフトは、当該ダウンロードされた映像データを、管理者によってタブレットモニタ１１に設定された動作開始時間から動作終了時間までの間繰返しタブレットモニタ１１に表示し続ける。
【００３０】
さらにウォールトークソフトは、その後タブレットモニタ１１がオフ動作するまでの間に予め設定された時間にアクセスを繰り返したとき、その都度サーバ６を映像データの取得許可動作をさせることによりこのときサーバ６に格納されている映像データをタブレットモニタ１１がダウンロードする。
【００３１】
このようにして、サーバ入力部５は認証部５Ａにあらかじめ登録されているパスワード、ＩＤ及び契約ドメインが情報取得部２Ａ、２Ｂ……から伝送されてきたパスワード、ＩＤ及び契約ドメインと一致することを確認してサーバ６のドメイン群ＤＭ１、ＤＭ２……の記憶情報から契約された情報を選定してデータ取得ライン７から通信系３を通って情報取得部２Ａ、２Ｂ……にダウンロードさせる。
【００３２】
かくして取得されたデータは、情報取得部２Ａ、２Ｂ……タブレットモニタ１１の表示部１１Ａに提示され、これにより情報取得部２Ａ、２Ｂ……の情報取得者がサーバ６の記憶情報を目視確認できる。
【００３３】
この表示部１１Ａに表示された映像データは、起動時間から終了時間までの間においてアクセス時間毎に自動的に表示され、これにより情報取得者は情報取得部２Ａ、２Ｂ……に何らの表示操作をすることなく映像情報の内容を確認することができる。
【００３４】
ここでタブレットモニタ１１はインストールされたウォールトークソフトデータＤＴ１に基づいて市販のタブレットのアプリケーションのうち画像表示機能を利用してサーバ６からダウンロードされた映像を表出することができる。
【００３５】
ウォールトークソフトにより情報取得部２Ａ、２Ｂ……のタブレットモニタ１１からサーバ６へ映像データをアクセスする際の実施例を図４に示す。
【００３６】
この実施例の場合、ウォールトークソフトは、「起動時間」として毎日「１０：００」時にオン動作させると共に「終了時間」として「２０：００」時にオフ動作させるように設定し、「アクセス時間」として「４８時間」ごとに「１２：００」時に更新するように設定する。
【００３７】
これによりウォールトークシステムは、１日目の起動時間「１０：００」時に情報取得部２Ａ、２Ｂ……をオン動作させることによりサーバ６からデータをアクセスするが、この場合当該１日目の起動時間の時点ではアクセスしたデータがサーバ６にないので表示部１１Ａには表示がされない。
【００３８】
やがて１日目の更新時間「１２：００」時になるとサーバ６から更新データ「ＡＸ」をアクセスできるようになり、ウォールトークソフトは当該更新データ「ＡＸ」を終了時間「２０：００」時まで表示部１１Ａに表示し続ける。
【００３９】
この更新データ「ＡＸ」は情報取得部２Ａ、２Ｂ……に保持した状態のまま、１日目を終了し、２日目のオン動作時間「１０：００」時から表示部１１Ａに表示を開始し、この２日目には更新時間が設定されていないので、オフ動作時間「２０：００」時まで同じ更新データ「ＡＸ」の表示をし続ける。
【００４０】
３日目には、４８時間目の更新時間「１２：００」時になると、サーバ６から更新データ「ＢＸ」をアクセスできるようになり、ウォールトークソフトは当該更新データ「ＢＸ」を終了時間「２０：００」時まで表示部１１Ａに表し続ける。
【００４１】
以下同様にして、ウォールトークソフトは、アクセス時間を表す４８時間の更新時間ごとに、サーバ６から更新されたデータをダウンロードして表示部１１Ａに更新した映像データを表示して行く。
【００４２】
かくして情報取得システム１は情報取得者が見たい情報の映像を壁に映った画像（例えばポスタ、テレビジョン映像、プロモーション映像など）のような画像情報として読み取ることができ、かくするにつき他者の妨害を受けることなく安定に取得できる。
【００４３】
かかる映像の表示は、管理者２１はサーバに格納された映像データを置き換えたとき当該置き換えた内容を表示変更することができる。
【００４４】
（２）第２の実施の形態
図２は第２の実施の形態を示すもので、図１との対応部分には同一符号を付して示す。
【００４５】
図２の実施の形態の場合、タブレットモニタ１１から引き出された外部接続線２０を通して表示装置部２２に表示データＤＴ４を供給する。
【００４６】
表示装置部２２は大型モニタ２３を有し、表示画面として例えば３２インチ、４２インチ又は６０インチなどの大型モニタを有すると共に、音声回路２４を介してスピーカ２５から音声出力を送出できるようになされている。
【００４７】
かくして情報取得部２Ａ、２Ｂ……に設けられているタブレットモニタ１１の表示部１１Ａに映出されると同一の情報データを、例えば壁に設けられた大型モニタ２３によって大型画面として複数の視聴者が同時に視聴できるようになされている。
【００４８】
大型モニタ２３としては、図３に示すように大型モニタ表示画面２３Ａ、２３Ｂ、２３Ｃ及び２３Ｄを４面組み合わせた表示画面（例えばマルチ画面、マルチディスプレイ）を用いたり、６面の表示画面を組み合わせることによって巨大なモニタによってタブレットモニタ１１の表示部１１Ａの表示を拡大して表示するようにしてもよく、このようにすればさらに多数の視聴者が同時に視聴することができる。
【００４９】
図１の場合は、制御部１２にインストールされた制御データＤ１は、起動時間、終了時間及びアクセス時間を情報取得部２Ａ、２Ｂ……の始動時にパスワード、ＩＤ及び契約ドメインでなる認証データＤ２と共にサーバ６にアクセスしたが、図２の場合ウォールトークソフトは制御データＤ１としてタブレットモニタ１１にページスクロール機能及び拡大・ページめくり機能を実行させるようなソフトデータをインストールさせ、これによりタブレットモニタ１１にサーバ６からダウンロードされた情報データを情報取得者の意向に従って表示部１１Ａの表示機能を拡大させ、これにより取得した情報を一段と活発に使用できるようになされている。
【００５０】
これに加えて、図２の場合のウォールトークソフトデータＤＴ１はサーバ６から取得している情報データがサーバ６において管理者２１によって更新されたとき、確認音を発生させる機能を行うような制御データＤ１をインストールできるようになされ、これによりタブレットモニタ１１に継続的に表示されている取得情報が新たな情報に更新されたことを、情報取得者が容易にタイミング良く知ることができるようになされている。
【００５１】
さらに図２の情報取得システム１においては、管理者２１が、サーバ６に記憶させた情報データＡ〜Ｌについて、コマーシャルを付加させたり、次回更新予告を付加させたりすることができ、これにより情報取得部２Ａ、２Ｂ……において取得された情報データをさらに活用できるようになされている。
【００５２】
また図２の情報取得システムにおいては、管理者２１は、情報取得部２Ａ、２Ｂ……にインストールしたウォールトークソフトデータＤＴ１について、このウォールトークソフトを更新するためのアップデートデータＹをサーバ６の所定のドメインに設定するようになされ、これにより情報取得部２Ａ、２Ｂ……の情報取得者が情報取得部２Ａ、２Ｂ……にインストールするウォールトークソフトデータＤＴ１を変更する際に、情報取得者は情報取得部２Ａ、２Ｂ……からサーバ６の当該アップデートデータＹをアクセスすることにより、情報取得部２Ａ、２Ｂ……にインストールしたウォールトークソフトの内容を通信系３を介して変更できるようになされている。
【００５３】
かくして情報取得者は、サーバ６に記憶している情報データを使いやすい態様で、しかも人手を介さず一度に多数のタブレット（ウォールトークシステム）のコンテンツを更新できる。
【産業上の利用可能性】
【００５４】
本発明はタブレット情報取得手段として用いた情報取得システムに利用できる。
【符号の説明】
【００５５】
１……情報取得システム、２……情報取得装置、２Ａ、２Ｂ……情報取得部、３……通信系、４……アクセスライン、５……サーバ入力部、５Ａ……認証部、６……サーバ、７……データ取得ライン、１１……タブレットモニタ、１１Ａ……表示部、１２……制御部、１２Ａ……認証部、２０……外部接続線、２１……管理者、２２……表示装置部、２３……大型モニタ
【図１】
2018169845.tif 000003
【図２】
2018169845.tif 000004
【図３】
2018169845.tif 000005
【図４】
2018169845.tif 000006